(57)【要約】  【課題】自動販売機の中身商品盗難防止に関し、通常販売機会時の正常な取り出し性を低下させずに、人による中身商品盗難防止性の向上を図り盗難を防止するものである。  【解決手段】自動販売機の商品を搬出する搬出扉７ａの下部形状７ｂを十分に長くすることにより、腕の細い人が中身商品の盗難を行おうとした場合においても、商品収容ラックまで、手が届かないようにして商品の盗難を防止することによって、中身商品盗難防止性を向上した自動販売機ができるものである。【選択図】図１
2006244111.tif 000002
【特許請求の範囲】
【請求項１】
庫内に商品収容室が形成されている断熱構造の本体と、前記本体の前面下部に商品取出口が設けられている外扉と、前記本体と前記外扉の間に位置し、前記商品取出口に商品を搬出する商品搬出口を備えた内扉と、前記商品搬出口に上端軸が固定され、庫内の商品収容室から搬出シュートを経て商品取出口へと搬出するための搬出扉からなり、前記搬出扉の下部形状が下方に延在したことを特徴とした自動販売機。
【請求項２】
前記商品搬出口と前記搬出扉の下部が接触している面において、前記商品搬出口に段差形状を設け、接触面積を低減したことを特徴とした請求項１に記載の自動販売機。
【請求項３】
前記搬出扉の下部形状を庫内側へ曲げ、前記商品搬出口には前記搬出扉が閉状態時、前記曲げ形状が収納できる角穴を備えたことを特徴とした自動販売機。
【発明の詳細な説明】
【技術分野】
【０００１】
本発明は缶入り飲料などの商品を販売する自動販売機に関するものである。
【背景技術】
【０００２】
近年、缶入り飲料などの商品を販売する自動販売機は、夜間人通りの少ない設置場所や無人状態になる自動販売機コーナーなど、自動販売機の中身商品の引き抜き盗難が増加しており、盗難防止のため、防盗仕様の改善を図ってきた。
【０００３】
まず、図４は一般に缶入り飲料などの商品を販売する自動販売機の構成図である。図４において、自動販売機の本体１の前面に設けられた外扉２と、外扉２の下部に設けた商品取出口３と、内扉４と、本体１の庫内に搭載した商品収容ラック５と、商品収容ラック５から商品取出口３に搬出する搬出シュート６である。
【０００４】
以上のように構成された自動販売機について、以下にその動作を説明する。
【０００５】
まず、商品販売指令により商品収容ラック５から搬出した商品は搬出シュート６に落下し、搬出シュート６の傾斜を商品の自重で滑り落ち、内扉４に設けられた搬出扉７を押し開けて商品取出口３の底板３ａに転がり落ち受容される。そして、自動販売機利用客は商品取出口３の前面に配した取出口扉８を開いて内部に手を差し入れ、商品を掴んで取出すことができる。
【０００６】
次に図５は、従来の自動販売機の商品取出口の構成図である。以下、図面を参照しながら上記従来の自動販売機の商品取出口を説明する。図５に示すように従来の自動販売機の商品取出口は、商品取出口３内部に開閉角度により、庫外から手や棒を庫内に入るのを防ぐための防盗プレート９とから構成されている。
【０００７】
以上のように構成された自動販売機の商品取出口について、以下その動作を説明する。
【０００８】
まず、内扉４に設けられた搬出扉７を押し開けて商品取出口３の底板３ａに転がり落ち受容される。そして、自動販売機利用客は商品取出口３の前面に配した取出口扉８を開いて内部に手を差し入れ、商品を掴んで取出すことができる。
【特許文献１】特開２０００−１３７８５６号公報
【発明の開示】
【発明が解決しようとする課題】
【０００９】
しかしながら、上記従来の構成は、太い缶飲料やペットボトル飲料などの商品を取り出し易くするために、底板３ａと搬出扉７との間に太い缶飲料やペットボトル飲料などの商品寸法の空間を設け、太い缶飲料やペットボトル飲料などの商品が底板３ａ上にあっても搬出扉７が開閉できるようにしなければならない。また、太い缶飲料やペットボトル飲料などの商品寸法は、腕の細い人の腕周りより大きく、十分な防盗仕様が得られていないという課題を有していた。それは、商品取出し性の向上を図るため、商品取出口３の寸法を広くとり、防盗プレート９の簡素化設計をしてきたためである。
【００１０】
本発明は従来の課題を解決するもので、商品取出し性を低下させずに、中身商品の盗難防止性を向上できる自動販売機を提供することを目的とする。
【課題を解決するための手段】
【００１１】
上記従来の課題を解決するために、本発明の自動販売機は、庫内に商品収容室が形成されている断熱構造の本体と、前記本体の前面下部に商品取出口が設けられている外扉と、前記本体と前記外扉の間に位置し、前記商品取出口に商品を搬出する商品搬出口を備えた内扉と、前記商品搬出口に上端軸が固定され、庫内の商品収容室から搬出シュートを経て商品取出口へと搬出するための搬出扉からなり、前記搬出扉の下部形状を伸ばすことで中身商品の盗難防止性を向上させた自動販売機を提供するものである。
【００１２】
これによって、腕の細い人が中身商品の盗難を行う際、商品収容ラックまで、手が届かないようにし、中身商品の盗難防止性が向上することになる。
【００１３】
また、本発明の自動販売機は、前記発明をさらに、前記商品搬出口と前記搬出扉の下部が接触している面において、前記商品搬出口に段差形状を設け、接触面積を低減することで、搬出性を向上させた自動販売機を提供するものである。
【００１４】
これによって、商品が内扉に設けられた前記搬出扉を押し開けて商品取出口の中に転がり落ちる際、多湿環境で発汗し前記商品搬出口と前記搬出扉が表面張力で開きにくくなるのを低減することになる。
【００１５】
また、本発明の自動販売機は、前記搬出扉の下部形状を庫内側へ曲げ、前記商品搬出口には前記搬出扉が閉状態時、前記曲げ形状が収納できる角穴を備えたことにより、中身商品の盗難防止性を向上させた自動販売機を提供するものである。
【００１６】
これによって、腕の細い人が中身商品の盗難を行う際、商品収容ラックまで、手を入れにくく、手が届かないようにし、中身商品の盗難防止性が向上することになる。
【発明の効果】
【００１７】
本発明の自動販売機は、搬出扉の下部形状が長いことで、腕の細い人が中身商品の盗難を行う際、商品収容ラックまで、手が届かないようにし、中身商品の盗難防止性が向上させることができる。
【００１８】
また、本発明の自動販売機は、前記発明をさらに、商品搬出口と前記搬出扉の下部が接触している面において、接触面積を低減することで、表面張力を低減し、搬出性を向上させることができる。
【００１９】
また、本発明の自動販売機は、前記搬出扉の下部形状を庫内側へ曲げ、前記商品搬出口には前記搬出扉が閉状態時、前記曲げ形状が収納できる角穴を備えたことにより、腕の細い人が中身商品の盗難を行う際、商品収容ラックまで、手を入れにくく、手が届かないようにし、中身商品の盗難防止性が向上させることができる。
【発明を実施するための最良の形態】
【００２０】
請求項１に記載の発明は、搬出扉の下部形状を下方に延在させたことにより、腕の細い人が中身商品の盗難を行った場合でも、商品収容ラックまで、手が届かないようにし、中身商品の盗難防止性が向上させることができる。
【００２１】
請求項２に記載の発明は、請求項１に記載の発明で、さらに、商品搬出口と前記搬出扉の下部が接触している面において、接触面積を低減することにより、表面張力を低減し、搬出性を向上させることができる。
【００２２】
請求項３に記載の発明は、前記搬出扉の下部形状を庫内側へ曲げ、前記商品搬出口には前記搬出扉が閉状態時、前記曲げ形状が収納できる角穴を備えたことにより、腕の細い人が中身商品の盗難を行う際、商品収容ラックまで、手を入れにくく、手が届かないようにし、中身商品の盗難防止性が向上させることができる。
【００２３】
以下、本発明の実施の形態について、図面を参照しながら説明するが、従来例または先に説明した実施の形態と同一構成については同一符号を付して、その詳細な説明は省略する。なお、この実施の形態によって本発明が限定されるものではない。
【００２４】
（実施の形態１）
図１は、本発明の実施の形態１における自動販売機の商品取出口の構成図である。
【００２５】
図１に示すように、自動販売機の商品取出口は基本的に図５に示した従来構造と同様であるが、搬出扉７ａの下部形状７ｂが下方に長くなって延在しており、商品取出口３の底板３ａは、長くなった寸法分、下方へ下がっている。
【００２６】
以上のように構成された自動販売機について、以下にその動作を説明する。
【００２７】
まず、通常商品販売指令により商品収容ラック５から搬出した商品は搬出シュート６に落下し、搬出シュート６の傾斜を商品の自重で滑り落ち、内扉４に設けられた搬出扉７ａを押し開けて商品取出口３の中に転がり落ち受容される。そして、自動販売機利用客は商品取出口３の前面に配した取出口扉８を開いて内部に手を差し入れ、商品を掴んで取出すことができる。また、腕の細い人が中身商品の盗難を行った場合でも、搬出扉７ａの下部形状が長いので、商品収容ラックまで、手が届かないようにし、中身商品の盗難防止性が向上させることができる。
【００２８】
図２は、本発明の実施の形態１における自動販売機の商品搬出口部品詳細図である。
【００２９】
本実施の形態は、自動販売機に、さらに、商品搬出口７ｃと搬出扉７ａの下部が接触している面において、商品搬出口７ｃに段差形状７ｄを設け、接触面積を低減することにより、表面張力を低減している。
【００３０】
以上のように構成された自動販売機の商品取出口について、以下にその動作を説明する。
【００３１】
まず、商品販売指令により商品収容ラック５から搬出した商品は搬出シュート６に落下し、搬出シュート６の傾斜を商品の自重で滑り落ち、内扉４に設けられた搬出扉７ａを押し開ける際、接触面積を低減することにより、表面張力を低減しているので、多湿環境で発汗し商品搬出口７ｃと搬出扉７ａが表面張力で開きにくくなるのを防ぎ、搬出性を向上させることができる。
【００３２】
（実施の形態２）
図３は、本発明の実施の形態２における自動販売機の商品取出口の構成図である。
【００３３】
本実施の形態は、搬出扉７ｅの下部形状を庫内側へ曲げ形状７ｆを設け、商品搬出口７ｇには搬出扉７ｅが閉状態時、曲げ形状７ｆが収納できる角穴７ｈを備えたものである。
【００３４】
以上のように構成された自動販売機の商品取出口について、以下にその動作を説明する。
【００３５】
まず、通常商品販売指令により商品収容ラック５から搬出した商品は搬出シュート６に落下し、搬出シュート６の傾斜を商品の自重で滑り落ち、内扉４に設けられた搬出扉７ｅを押し開けて商品取出口３の中に転がり落ち受容される。そして、自動販売機利用客は商品取出口３の前面に配した取出口扉８を開いて内部に手を差し入れ、商品を掴んで取出すことができる。また、腕の細い人が中身商品の盗難を行った場合でも、搬出扉７ｅの下部が曲げ形状７ｆとなっているので、商品収容ラックまで、手が入れにくく、手が届かないようにし、中身商品の盗難防止性が向上させることができる。また、搬出扉７ｅが閉状態には、商品搬出口７ｇに曲げ形状７ｆが収納できる角穴７ｈを備えることにより、取り出し性を確保することができる。
【産業上の利用可能性】
【００３６】
以上のように、本発明にかかる自動販売機は、商品取り出し性を損なわずに、中身商品の盗難防止性を向上させることができるので、缶入り飲料などの商品を販売する自動販売機以外にも、たばこや切符の自動販売機の商品取出口装置等の用途にも適用できる。
【図面の簡単な説明】
【００３７】
【図１】本発明による自動販売機の商品取出口の実施の形態１の構成図
【図２】本発明による自動販売機の実施の形態１の商品搬出口部品詳細図
【図３】本発明による自動販売機の商品取出口の実施の形態２の構成図
【図４】従来の自動販売機の構成図
【図５】従来の自動販売機の商品取出口の構成図
【符号の説明】
【００３８】
３    商品取出口
３ａ  底板
４    内扉
６    搬出シュート
７ａ  搬出扉
７ｂ  下部形状
７ｃ  商品搬出口
７ｄ  段差形状
７ｅ  搬出扉
７ｆ  曲げ形状
７ｇ  商品搬出口
７ｈ  角穴
【図１】
2006244111.tif 000003
【図２】
2006244111.tif 000004
【図３】
2006244111.tif 000005
【図４】
2006244111.tif 000006
【図５】
2006244111.tif 000007